(57)【要約】【課題】魚の口中に掛かり易くかつ外れ難い釣り針を提供すること。【解決手段】ハリス取付け部１２を基端側に形成した軸部１６の先端側から折返し部２０を湾曲させて延設し、この折返し部２０の先端側に先細り状の針先部２２を形成した釣り針であって、ハリス係止部１２を軸方向に延びる軸部軸線１２ａに対し、針先部２２は、折返し部に連なる基端から尖った先端２４に向けて、軸部１６側の内面が、この軸部軸線から離隔する外方に延びる釣り針１０。【選択図】    図１
2008173088.tif 000002
【特許請求の範囲】
【請求項１】
軸部の先端側から折返し部を湾曲させて延設し、この折返し部の先端側に先細り状の針先部を形成した釣り針であって、前記軸部の長手方向に延びる軸部軸線に対し、前記針先部は、折返し部に連なる基端から尖った先端に向けて、前記軸部軸線から離隔する外方に延びることを特徴とする釣り針。
【請求項２】
前記折返し部は、前記針先部に連なる先端部が、この針先部に向けて、前記軸部軸線に向く内方に延びることを特徴とする請求項１に記載の釣り針。
【請求項３】
前記針先部の先端は、前記軸部軸線に対し、前記折返し部の先端側で前記軸部軸線から最も離隔した部位と、少なくとも等しい距離に配置されることを特徴とする請求項１または２に記載の釣り針。
【発明の詳細な説明】
【技術分野】
【０００１】
本発明は、魚釣り用の釣り針に関する。
【背景技術】
【０００２】
一般に、魚釣りに用いる釣り針は、基端側に釣り糸を取り付ける軸部の先端側から折返し部を湾曲させて延設し、この折返し部の先端側に先細り状の針先部を形成してある。この針先部の先端と軸部との間に、いわゆるふところが形成される。
【０００３】
このような釣り針は、掛かった魚を逃がさないようにするために、針先部の先端が軸部の側に向く内向きに形成されている（例えば特許文献１および特許文献２参照）。
【０００４】
このように針先部の先端を内向きに形成するのは、掛かった魚が暴れ、ふところ（折返し部）が開くように針先部に荷重が掛かっても、その強度を維持して、釣り針の係止状態を維持し、刺さった釣り針の針先部が魚から抜けるのを防止しようとするものである。
【特許文献１】特開２００１−３１４１３７
【特許文献２】特開２００４−８９１１６
【発明の開示】
【発明が解決しようとする課題】
【０００５】
しかし、魚が口中に釣り針を吸込んだときに、釣り竿をあおったり、釣り糸を引いたりする、いわゆる「合わせ」を行って、釣り針を魚の口中に掛ける操作を行うと、針先部の先端が内向きに形成されている従来の釣り針では、軸部が口中の内面に接触すると、針先部の先端が魚の口中の内面から離隔する方向に向くことになり、掛かりはあまり良好ではない。
【０００６】
また、針先部の先端が軸部の方向を向く従来の釣り針では、釣り針が魚の口中の奥深くまで吸込まれた状態で「合わせ」を行うと、針先部が口中の深部位置（のど）には掛からずに口先まで引き戻される。そして、軸部の基端が口から出たときに、口中の内面に対する針先部の向きが変化し、このときに初めて針が魚に掛かるようになる。このため、釣り針が口先すなわち口中の極めて浅い部位に掛かり易い。しかも、針先部の先端が魚の口中で刺さったとしても、針先部の先端側が軸部の方向を向いているため、深くまで貫入せず、魚の口中の肉を浅く掬い取るように掛かる。これにより、釣り針がかかった部分の肉が切れ、釣り針が外れやすい。
【０００７】
本発明は、このような事情に基づいてなされたもので、魚の口中に掛かり易くかつ外れ難い釣り針を提供することを目的とする。
【課題を解決するための手段】
【０００８】
上記課題を解決するため、本発明によると、軸部の先端側から折返し部を湾曲させて延設し、この折返し部の先端側に先細り状の針先部を形成した釣り針であって、前記軸部の長手方向に延びる軸部軸線に対し、前記針先部は、折返し部に連なる基端から尖った先端に向けて、前記軸部軸線から離隔する外方に延びる釣り針が提供される。
【０００９】
前記折返し部は、前記針先部に連なる先端部が、この針先部に向けて、前記軸部軸線に向けて内方に延びるものであってもよい。
【００１０】
更に、前記針先部の先端は、前記軸部軸線に対し、前記折返し部の先端側で前記軸部軸線から最も離隔した部位と、少なくとも等しい距離に配置されることが好ましい。
【発明の効果】
【００１１】
本発明の釣り針によると、魚の口中に飲み込まれたときに、軸部が口中の内面に接触した状態で合わせを行っても、針先部の先端が魚に掛かり易く、また、針先部の軸部側の内面が外方に延びることにより、掛かった針先部が魚の肉内に深く貫入して外れ難い。
【００１２】
折返し部の先端部が、針先部に向けて、軸部軸線に向けて延びる内方に延びる場合には、釣り針の針先部を過ぎて折返し部の先端部まで貫入すると、掛かった魚が暴れ、針先部を外方に開くような力が掛かっても、釣り針の係止状態が維持され、刺さった釣り針が抜けるのを防止することができる。
【００１３】
更に、針先部の先端が、軸部軸線に対し、前記折返し部の先端側で前記軸部軸線から最も離隔した部位と、少なくとも等しい距離に配置される場合には、軸部が口中の内面に接触した状態でも、口中の対向する内面に針先部の先端が接触するため、刺さり易い。
【発明を実施するための最良の形態】
【００１４】
図１から図４は、本発明の好ましい実施形態による釣り針１０を示す。本実施形態による釣り針１０は、これに限るものではないが、例えばシロギス釣りに適し、特にのど奥に掛けることが容易な構造に形成したものである。
【００１５】
図1に示すように、本実施形態の釣り針１０は、基端部を釣り糸が結べるハリス取付け部１２とし、ハリス８（図３参照）が抜出るのを防止するハリス係止部１４を形成した軸部１６を有する。この軸部１６は、特にハリス取付け部１２がほぼ直線状に形成され、ハリス係止部１４はこのハリス取付け部１２の外径よりも幅広の板状で、後述する折返し部の湾曲方向に対して反対側に傾斜させて形成してある。
【００１６】
この軸部１６は、全体的ににわずかに湾曲した形状であってもよく、軸部１６がわずかに湾曲した場合であっても、この長手方向に延びる軸部軸線１２ａは、軸部１６の基端と先端とを結ぶ線分とする。また、この軸部軸線１２ａは、魚の口中に入った状態の釣り針１０をハリス８にて引いたときに、このハリスの引張方向と同軸上に配置するものとする。
【００１７】
この軸部１６の先端の曲率が大きく変化する部位１８からは、折返し部２０が略Ｕ字状に湾曲させて延設されており、軸部１６から離隔した側のＵ字状形状の折返し部２０の両側一対の脚部の一方の脚部の先端側に先細り状の針先部２２が形成されている。この針先部２２の尖った先端２４は、軸部軸線１２ａ方向に沿って、軸部１６の先端すなわち曲率が大きく変化する部位１８と開口２６を介して対向位置に配置してあり、この針先部２２の先端と軸部１６との間に、ふところと称される開口２６が形成される。なお、針先部２２の先端２４は、軸部１６の部位１８よりもハリス取付け部側に近接させてもよく、あるいは更に離隔させてもよい。
【００１８】
図２に拡大して示すように、針先部２２に連なる折返し部２０の先端部２８は、ほぼ直線状の短軸部として、折返し部２０の先端側で曲率が大きく変化する部位３０から先側に延設させて形成してある。この先端部２８の軸線２８ａは、針先部２２に向けて軸部軸線１２ａに向く内方に延びる。したがって、この曲率が変化する部位３０は、折返し部２０のうちで、軸部軸線１２ａから最も離隔した位置に配置される。
【００１９】
更に、針先部２２は、折返し部２０の先端すなわち短軸状の先端部２８の先端から、尖った先端２４に向けて先細り状になるように形成された部分で、軸部軸線１２ａから離隔する外方に延びる。また、この針先部２２の折返し部２０に近接した側から、この折返し部２０側に向けて、返し３２が開口２６内に突出する。なお、この返し３２は、複数であってもよく、あるいは省略してもよい。
【００２０】
本実施形態の針先部２２は、先端２４に向けて縮径する細長い円錐状に形成してあり、その軸線２４ａは、折返し部２０の先端部２８の軸線２８ａと交差し、先端２４に向けて、軸部軸線１２ａから離隔する外方に延びる。この針先部２２の先端２４は、この先端２４と折返し部２０の部位３０とを結ぶ仮想線３４が、軸部軸線１２ａとほぼ平行であることが好ましい。また、先端２４側でわずかに離隔する方向に延びるように配置すると、針先部２２がより刺さりやすくなる。これにより、軸部１６が魚の口中の内面に接触したときに、針先部２２の先端２４がこの軸部１６すなわち軸部軸線１２ａから最も離隔した位置に配置されることになり、魚が餌と共に釣り針１０を吸込む時、部位３０によって針先部２２が口中の内面に接触し難く、違和感を与えないため、吸い込みが良好となり、釣り針１０を深く吸い込んだ後は、針先部２２の先端２４が、対向する内面に接触して刺さり易い位置を占めることができる。
【００２１】
更に、この針先部２２は、軸部１６側の内面すなわち先端２４と返し３２の先端とを結ぶ直線が、この先端２４に向けて軸部１６の軸部軸線１２ａから次第に離隔する外方に延びるように、形成される。これにより、釣人が合わせ操作を行った際に、釣り針１０が口中の内面から肉内に深く刺さることになる。
【００２２】
図３および図４は、このような釣り針１０が例えばシロギスである魚６の口中に飲み込まれた状態で合わせ操作を行ったときの状態を示す。
【００２３】
違和感があったときに、餌と共に釣り針を吐き出そうとする魚の習性により、のど元が狭まると、軸部１６が口中の内面に接触する。そして、針先部２２の先端２４が折返し部２０の部位３０と共に対向する内面に接触し、魚の口中の深い位置であっても、極めて掛かり易い状態となる。
【００２４】
この状態から、合わせ操作でハリス８が引かれると、釣り針１０ａは、口中の内面に接触した針先部２２の先端２４が魚６の肉内に貫入し始めると共に、この先端２４を中心として回動しながら、釣り針１０ｂのように、軸部１６が針先部２２側に移動する。針先部２２は、その基端部と針先部２２の先端２４とを結ぶ直線（線分２４ａ）が、この先端２４に向けて、軸部１６から離隔する外方に延びるため、肉内に貫入する角度が次第に増大し、深く貫入し、例え、魚６が暴れた場合であっても、抜け難い状態となる。
【００２５】
更に、折返し部２０の先端部２８すなわち針先部２２に連なる部位（部位３０から針先部２２の基端部までの部位）が、針先部２２とは逆に先端に向けて、軸部１６に向く内方に延びるため、針先部２２の返し３２を過ぎて折返し部２０の先端部２８まで魚６の肉内に貫入すると、魚６が暴れて、針先部２２を外方に開くような力が掛かっても、釣り針１０の係止状態が維持され、この釣り針１０が抜けるのを防止することができる。この場合にも、針先部２２に続いて、針先部２２の通った孔に誘導され折返し部２０の先端部２８ａがこれに沿って差し込まれるため、針先部２２は更に外方に向いて針先部２２の貫入角度は更に大きくなる。
【００２６】
したがって、上述の釣り針１０によれば、魚の口中に飲み込まれたときに、軸部１６が口中の内面に接触した状態で合わせを行っても、針先部２２の先端２４が魚に掛かり易く、また、針先部２２の軸部１６側の内面が外方に延びることにより、掛かった針先部２２が魚の肉内に深く貫入して外れ難くなる。このため、従来の釣り針のように、口先の近くで掛かったり、あるいは、浅く貫入する状態が回避され、確実に魚を釣上げることができる。
【００２７】
以上、本発明の好ましい実施形態について説明してきたが、本発明の釣り針１０は、上述の実施形態に限定されるものではなく、例えば材料あるいは大きさ等は、対象とする魚種に応じて適宜に変更可能なことは明らかである。
【図面の簡単な説明】
【００２８】
【図１】本発明の好ましい実施形態による釣り針の全体説明図。
【図２】図１の円ＩＩで囲んだ部位の拡大図。
【図３】図１の釣り針を魚が飲み込んだ状態の説明図。
【図４】図３のＩＶ線で囲んだ部位の拡大図。
【符号の説明】
【００２９】
８…ハリス、１０…釣り針、１６…軸部、２０…折返し部、２２…針先部、２４…先端。
【図１】
2008173088.tif 000003
【図２】
2008173088.tif 000004
【図３】
2008173088.tif 000005
【図４】
2008173088.tif 000006